(57)【要約】【課題】本発明は、従来よりも装着感や装着安定性を一段と向上させた優位性のある耳掛け装着方式のヘッドホンを提案するようにする。【解決手段】本発明は、前面側にスピーカユニット２の放音部２Ａが配置され、背面側がハウジング４により覆われているヘッドホン部２９と、ハウジング４に対して回転可能に取り付けられた所定形状の耳掛けハンガー６と、その耳掛けハンガー６を回転可能に保持する回転軸受部５とを具え、回転軸受部５の回転軸芯をヘッドホン部２９の中心の法線ＯＬに対し、ユーザ装着時のアオリ方向へ少なくとも１０度以上４５度以内に設定し、かつユーザ装着時のツイスト方向へ１０度以上４５度以内の角度に設定することにより、耳掛けハンガー６がアオリ方向及びツイスト方向の２軸傾斜状態で回転するため、耳掛けハンガー６のアーム部分がユーザの耳に沿って装着感を一層向上させることができる。【選択図】図１
2008124733.tif 000002
【特許請求の範囲】
【請求項１】
耳掛け装着方式のヘッドホンであって、
前面側にスピーカユニットの放音部が配置され、背面側がハウジングにより覆われているヘッドホン部と、
上記ヘッドホン部における上記放音部側に位置し、上記ハウジングに対して回転可能に取り付けられ、回転時にはバネ性により回転復帰方向へ付勢される所定形状の耳掛けハンガーと、
上記ハウジングに対して取り付けられた上記耳掛けハンガーを回転可能に保持する回転軸受部と
を具え、
上記回転軸受部は、上記ハウジングに対して上記放音部側の象限に配置され、当該回転軸受部の回転軸芯が上記ヘッドホン部の中心の法線に対し、ユーザ装着時のアオリ方向へ少なくとも１０度以上４５度以内に設定され、かつ上記ユーザ装着時のツイスト方向へ１０度以上４５度以内の角度に設定されている
ことを特徴とする耳掛け装着方式のヘッドホン。
【請求項２】
上記回転軸受部は、上記放音部側の象限であって当該放音部の外側に配置されている
ことを特徴とする請求項１に記載の耳掛け装着方式のヘッドホン。
【請求項３】
上記耳掛けハンガーは、上記回転軸受部に対して上記放音部側から取り付けられている
ことを特徴とする請求項１に記載の耳掛け装着方式のヘッドホン。
【請求項４】
耳掛け装着方式のヘッドホンであって、
前面側にスピーカユニットの放音部が配置され、かつ背面側に接続コードの巻取機構が搭載された状態でハウジングにより覆われているヘッドホン本体部と、
上記ヘッドホン部における上記放音部側に位置し、上記ハウジングに対して回転可能に取り付けられ、回転時にはバネ性により回転復帰方向へ付勢される所定形状の耳掛けハンガーと、
上記ハウジングに対して取り付けられた上記耳掛けハンガーを回転可能に保持する回転軸受部と
を具え、
上記回転軸受部は、上記ハウジングに対して上記放音部側の象限に配置され、当該回転軸受部の回転軸芯が上記ヘッドホン部の中心の法線に対し、ユーザ装着時のアオリ方向へ少なくとも１０度以上４５度以内に設定され、かつ上記ユーザ装着時のツイスト方向へ１０度以上４５度以内の角度に設定されている
ことを特徴とする耳掛け装着方式のヘッドホン。
【請求項５】
耳掛け装着方式のヘッドホンであって、
前面側にスピーカユニットの放音部が配置され、かつ背面側に低音増強用のダクトが設けられたハウジングにより覆われているヘッドホン部と、
上記ヘッドホン部における上記放音部側に位置し、上記ハウジングに対して回転可能に取り付けられ、回転時にはバネ性により回転復帰方向へ付勢される所定形状の耳掛けハンガーと、
上記ハウジングに対して取り付けられた上記耳掛けハンガーを回転可能に保持する回転軸受部と
を具え、
上記回転軸受部は、上記ハウジングに対して上記放音部側の象限に配置され、当該回転軸受部の回転軸芯が上記ヘッドホン部の中心の法線に対し、ユーザ装着時のアオリ方向へ少なくとも１０度以上４５度以内に設定され、かつ上記装着時のツイスト方向へ１０度以上４５度以内の角度に設定されている
ことを特徴とする耳掛け装着方式のヘッドホン。
【発明の詳細な説明】
【技術分野】
【０００１】
本発明は、耳掛け装着方式のヘッドホンに関し、例えば携帯型音楽プレーヤに対して用いられる耳掛け装着方式のヘッドホンに適用して好適なものである。
【背景技術】
【０００２】
従来、耳掛け装着方式（所謂ハンガーイヤータイプ）のヘッドホンにおいては、手軽でファッション性の高いタイプとして一般的に使用されているが、ヘッドバンドが存在しない構成であるため、左右の耳にヘッドホン本体部を密着させるための側圧が殆ど無く、インナーイヤータイプのヘッドホンのような耳穴への引っ掛かりも無い。
【０００３】
ハンガーイヤータイプのヘッドホンでは、耳掛けハンガーと、スピーカユニットが内蔵されたヘッドホン本体部との間で人間の柔らかな耳を挟み付け、ヘッドホン本体部自体の重さを支えるようにして取り付けられる構造であるため、左右の耳に安定して装着させることが最も難しいタイプの装着方式となっている（例えば、特許文献１参照）。
【０００４】
このような装着方式が採用されたハンガーイヤータイプのヘッドホンにおいては、スピーカユニットが内蔵されたヘッドホン本体部に対する耳掛けハンガーの回動角度や、耳の挟み付け具合の調整等に様々な工夫がなされている。
【０００５】
ところで、電源や音声信号を伝達するためのコードが設けられた製品では、そのコードを巻き取る巻取機構を搭載することが一般的であり、ヘッドホンにおいても、収納時におけるコードの絡み防止を主目的として、コードを巻き取るコード巻取機構を搭載することが一般的になっている。
【特許文献１】特開2001-112081公報
【発明の開示】
【発明が解決しようとする課題】
【０００６】
ところでかかる構成のハンガーイヤータイプのヘッドホンにおいては、コード巻取機構を設けることが一般的になっているものの、コード巻取機構に必要な巻取リールやぜんまいバネ等の様々な部品追加による重量増加と、コード巻取機構を搭載するヘッドホン本体部のスペース的な制約とが加わることにより、ヘッドホン本体部の装着感や装着安定性が損なわれるという問題があった。
【０００７】
本発明は以上の点を考慮してなされたもので、従来よりも装着感や装着安定性を一段と向上させた優位性のある耳掛け装着方式のヘッドホンを提案しようとするものである。
【課題を解決するための手段】
【０００８】
かかる課題を解決するため本発明においては、前面側にスピーカユニットの放音部が配置され、背面側がハウジングにより覆われているヘッドホン部と、ヘッドホン部における放音部側に位置し、ハウジングに対して回転可能に取り付けられ、回転時にはバネ性により回転復帰方向へ付勢される所定形状の耳掛けハンガーと、ハウジングに対して取り付けられた耳掛けハンガーを回転可能に保持する回転軸受部とを具え、回転軸受部は、ハウジングに対して放音部側の象限に配置され、当該回転軸受部の回転軸芯がヘッドホン部の中心の法線に対し、ユーザ装着時のアオリ方向へ少なくとも１０度以上４５度以内に設定され、かつユーザ装着時のツイスト方向へ１０度以上４５度以内の角度に設定されているようにしたことにより、耳掛けハンガーがアオリ方向及びツイスト方向の２軸に傾けられた状態で回転するため、ユーザ装着時における耳掛けハンガーの開き具合がユーザの耳に一段と沿った状態になって装着感を一層向上させることができる。
【発明の効果】
【０００９】
本発明によれば、前面側にスピーカユニットの放音部が配置され、背面側がハウジングにより覆われているヘッドホン部と、ヘッドホン部における放音部側に位置し、ハウジングに対して回転可能に取り付けられ、回転時にはバネ性により回転復帰方向へ付勢される所定形状の耳掛けハンガーと、ハウジングに対して取り付けられた耳掛けハンガーを回転可能に保持する回転軸受部とを具え、回転軸受部は、ハウジングに対して放音部側の象限に配置され、当該回転軸受部の回転軸芯がヘッドホン部の中心の法線に対し、装着時のアオリ方向に少なくとも１０度以上４５度以内に設定され、かつ装着時のツイスト方向に１０度以上４５度以内の角度に設定されているようにしたことにより、耳掛けハンガーがアオリ方向及びツイスト方向の２軸に傾けられた状態で回転するため、ユーザ装着時における耳掛けハンガーの開き具合がユーザの耳に一段と沿った状態になって装着感を一層向上させることができ、かくして従来よりも装着感や装着安定性を一段と向上させた優位性のある耳掛け装着方式のヘッドホンを実現することができる。
【発明を実施するための最良の形態】
【００１０】
以下、図面について、本発明の一実施の形態を詳述する。
【００１１】
（１）第１の実施の形態
（１−１）第１の実施の形態におけるヘッドホン本体部の外観構成
図１（Ａ）及び（Ｂ）において、１は全体として第１の実施の形態におけるハンガーイヤータイプのヘッドホンを構成する左耳装着用の左側ヘッドホン本体部を示し、ヘッドホン全体としては左右対称形の同一構造である右耳装着用の右側ヘッドホン本体部（図示せず）と当該左側ヘッドホン本体部１とが接続コード９を介して接続された構成を有している。
【００１２】
この左側ヘッドホン本体部１は、その前面側にスピーカユニット２の放音部２Ａが配置され、その放音部２Ａに対してスポンジ状のイヤーパッド３が覆われていると共に、その背面側がハウジング４により覆われている。
【００１３】
ハウジング４は、その内部に接続コード９を巻き取るためのコード巻取機構（図示せず）が内蔵されており、巻取ボタン８に対する押下操作に応じてコード巻取機構により接続コード９をハウジング４内に巻き取るようになされている。
【００１４】
またハウジング４は、その上部中央であって、スピーカユニット２の放音部２Ａ側の象限に設けられた回転軸受部５を介して合成樹脂等の弾性体でなる耳掛けハンガー６が回動自在に取り付けられており、その回転軸受部５を覆うように回転軸受部カバー７が取り付けられている。
【００１５】
耳掛けハンガー６は、耳の形に合わせた丸みを有する形状を有し、左側ヘッドホン本体部１をユーザ装着時の真正面側から見たとき（図１（Ｂ）左側面図）、ハウジング４の中心の法線ＯＬに対し、所謂アオリ方向へ約２１度の傾きを持って回転軸受部５に取り付けられている。
【００１６】
ここでアオリ方向とは、図２に示すように、ユーザの顔を正面側から見たとき、耳が顔に対してどのような角度にあるのかを示す方向であって、それを傾斜角度θ１によって示す。従って耳掛けハンガー６は、回転軸受部５を介してアオリ方向へ約２１度の傾きを持って取り付けられているため、ユーザの耳に装着された際、耳のアオリ方向へ沿った状態になり、ユーザの装着感を向上させ得るようになされている。
【００１７】
なお、アオリ方向の傾斜角度θ１が約２１度に設定されているのは、複数のユーザに対するアンケートを取り、その集計結果から大多数のユーザにとって装着感が心地よいと感じられるアオリ方向の傾斜角度が約２１度であったからである。
【００１８】
また耳掛けハンガー６は、左側ヘッドホン本体部１を真上側から見たとき（図１（Ｂ）上面図）、ハウジング４の中心の法線ＯＬに対し、所謂ツイスト方向へ約２５度の傾きを持って回転軸受部５に取り付けられている。
【００１９】
ここでツイスト方向とは、図３に示すように、ユーザの顔を真上側から見たとき、ユーザの耳が顔に対してどのような角度にあるのかを示す方向であって、それを傾斜角度θ２によって示す。従って耳掛けハンガー６は、回転軸受部５を介してツイスト方向へ約２５度の傾きを持って取り付けられているため、ユーザの耳に装着された際、耳のツイスト方向へ沿った状態になり、ユーザの装着感を向上させ得るようになされている。
【００２０】
因みに、耳掛けハンガー６が回転軸受部５を介してツイスト方向へ約２５度の傾きが設定されているのは、ツイスト方向への傾きが０度、１５度、２５度、３５度及び４５度毎に複数のユーザに対するアンケートを取り、その集計結果である図４に示すような傾斜角度別ヒストグラムに基づいて、大多数のユーザにとって装着感が心地よいと感じられるツイスト方向への傾斜角度θ２が２５度であったと検証されたからである。
【００２１】
このような耳掛けハンガー６は、ハウジング４の回転軸受部５を介してアオリ方向へ約２１度の傾きを持って取り付けられていると同時に、ツイスト方向へも約２５度の傾きを持って取り付けられているため、ユーザの耳におけるアオリ方向及びツイスト方向の双方に沿った状態で装着されることになり、例えばアオリ方向だけに傾斜された構造の耳掛けハンガーと比較した場合、装着時のフィット感を格段に向上させ得るようになされている。
【００２２】
（１−２）第１の実施の形態における左側ヘッドホン本体部の内部構造
続いて、左側ヘッドホン本体部１の内部構造について、図５を用いて説明する。この左側ヘッドホン本体部１を構成する各部材としては、合成樹脂や耐腐食性金属等により形成されたものが用いられている。
【００２３】
実際上、左側ヘッドホン本体部１の内部には、略円筒形状の筐体２２が設けられており、その筐体２２の上側保持部２２Ａの内周側に中心軸２２Ｃを介して接続コード９の巻き取りに用いられる巻取リール２３が取り付けられる。
【００２４】
そして巻取リール２３が取り付けられた筐体２２は、巻取リール２３の上からリールカバー２４が筐体２２を覆うように取り付けられ、そのリールカバー２４に対して化粧キャップ２５及び回転軸受部カバー７が同時に取り付けられるようになされている。
【００２５】
また左側ヘッドホン本体部１は、筐体２２におけるフランジ形状でなる下側保持部２２Ｂの内周側に短い円柱形状でなるスピーカユニット２１が嵌め込まれて取り付けられるようになされている。この筐体２２に対して、巻取リール２３、リールカバー２４、化粧キャップ２５及びスピーカユニット２が取り付けられた状態をヘッドホン部２９とする。
【００２６】
左側ヘッドホン本体部１は、ヘッドホン部２９の筐体部２２における下側保持部２２Ｂの周端面上に設けられている回転軸受部５に対して、耳掛けハンガー６の先端にある軸保持部６Ａがビス状の回転軸２６により軸支され、その回転軸２６の上から軸カバー２７によって蓋がされている。
【００２７】
因みに、図５では耳掛けハンガー６とスピーカユニット２１とが重なって見えるものの、この耳掛けハンガー６とスピーカユニット２１とは別体の独立した部品であり、筐体２２の回転軸受部５に耳掛けハンガー６が取り付けられた結果、スピーカユニット２１とは独立して耳掛けハンガー６だけが回転軸受部５の回転軸２６を介して回動し得るようになされている。
【００２８】
なお左側ヘッドホン本体部１は、回転軸２６に対してバネ２８が取り付けられた状態で、耳掛けハンガー６の軸保持部６Ａが回転軸受部５に対して軸支されるようになされており、これにより耳掛けハンガー６が回転軸受部５を介して回動された場合、バネ２８の付勢力によって、耳掛けハンガー６を元の位置（図１）に戻そうとする力が作用するようになされている。
【００２９】
この耳掛けハンガー６を元の位置に戻そうとする力は、ユーザの耳に当接されるイヤーパッド３の表面と、耳掛けハンガー６のアーム部分との間でユーザの耳を挟み付けるように作用すると共に、当該耳掛けハンガー６のアーム部分が眼鏡の耳掛け部分のように、耳に対して強固に保持されるように作用する。
【００３０】
ところで左側ヘッドホン本体部１では、耳掛けハンガー６が回転軸受部５を介してアオリ方向へ約２１度の傾きを持って取り付けられると同時に、ツイスト方向へも約２５度の傾きを持って取り付けられるようになされているが、これは回転軸受部５そのものが筐体２２に対して、アオリ方向へ約２１度の傾きを持って設けられていると共に、かつツイスト方向へも約２５度の傾きを持って設けられているからである。
【００３１】
従って左側ヘッドホン本体部１は、耳掛けハンガー６がヘッドホン部２９の回転軸受部５に軸支された状態で、当該耳掛けハンガー６がバネ２８の付勢力に反して回動されたとき、スピーカユニット２の放音部２Ａ側の象限上で、耳掛けハンガー６がアオリ方向へ約２１度傾けられ、かつツイスト方向へ約２５度傾けられた２軸傾斜の３次元的な仮想軸線（回転軸２６）を中心とした所定回動角度範囲内で当該耳掛けハンガー６を回動させ得るようになされている。
【００３２】
（１−３）第１の実施の形態における装着状態
ところで上述した２軸傾斜の耳掛けハンガー６を有する左側ヘッドホン本体部１がユーザの耳に装着される際、図６（Ａ）及び（Ｂ）に示すように、ユーザがあたかも眼鏡をかけるかのように、耳掛けハンガー６の先端を耳の付け根に差し込むように挿入することにより、図７に示すように、イヤーパッド３が耳甲介に当接され、かつ耳掛けハンガー６が耳に引っ掛けられた状態、すなわち結果的にイヤーパッド３と耳掛けハンガー６とによって耳が挟まれた状態で左側ヘッドホン本体部１が保持される。
【００３３】
ここで、本願発明のアオリ方向及びツイスト方向へ２軸傾斜された耳掛けハンガー６を有する左側ヘッドホン本体部１がユーザに装着された場合と、基本構造が同一であってアオリ方向にのみ１軸傾斜された耳掛けハンガーを有する左側ヘッドホン本体部がユーザに装着された場合とにおける装着状態の違いを、図８及び図９により説明する。
【００３４】
本願発明のアオリ方向及びツイスト方向へ２軸傾斜された耳掛けハンガー６を有する左側ヘッドホン本体部１がユーザに装着された場合、図８（Ａ）に示すように、標準的な厚さの耳ＥＲ１を持つユーザに対しては耳掛けハンガー６の回転軸受部５を介した回動角度が標準状態であるのに対し、図８（Ｂ）に示すように、標準的な厚さよりも太い耳ＥＲ２を持つユーザに対しては耳掛けハンガー６の回転軸受部５を介した回動角度が標準状態よりも１０度大きい１０度開き状態となり、図８（Ｃ）に示すように、標準的な厚さよりも薄い耳ＥＲ３を持つユーザに対しては耳掛けハンガー６の回転軸受部５を介した回動角度が標準状態よりも１０度小さい１０度閉じ状態となる。
【００３５】
すなわち本願発明の左側ヘッドホン本体部１では、耳掛けハンガー６の回動角度が標準状態（図８（Ａ））、１０度開き状態（図８（Ｂ））及び１０度閉じ状態（図８（Ｃ））の何れの場合であっても、イヤーパッド３の表面に対して耳掛けハンガー６のアーム部分が平行状態を維持したまま、イヤーパッド３の表面から耳掛けハンガー６のアーム部分までの距離ＤＭ１〜ＤＭ３がそれぞれ変化するようになされている。
【００３６】
従って本願発明の左側ヘッドホン本体部１では、耳掛けハンガー６の回動角度が変わることに応じて、イヤーパッド３の表面から耳掛けハンガー６のアーム部分までの距離ＤＭ１〜ＤＭ３が変化し、かつイヤーパッド３の表面に対して耳掛けハンガー６のアーム部分が平行状態を維持し続けるため、ユーザ毎に耳ＥＲ１〜ＥＲ３の厚さが異なっていても、全員のユーザに対して良好な装着感及び装着安定感を提供し得るようになされている。
【００３７】
これに対して図８（Ａ）、（Ｂ）及び（Ｃ）との対応部分に同一符号を付した図９（Ａ）、（Ｂ）及び（Ｃ）に示すように、アオリ方向にのみ１軸傾斜された耳掛けハンガー１０６を有する左側ヘッドホン本体部１００がユーザに装着された場合、標準的な厚さの耳ＥＲ１を持つユーザに対しては耳掛けハンガー１０６の回動角度が標準状態であるのに対し（図９（Ａ））、標準的な厚さよりも太い耳ＥＲ２を持つユーザに対しては耳掛けハンガー１０６の回動角度が標準状態よりも１０度大きい１０度開き状態となり（図９（Ｂ））、標準的な厚さよりも薄い耳ＥＲ３を持つユーザに対しては耳掛けハンガー１０６の回動角度が標準状態よりも１０度小さい１０度閉じ状態となる（図９（Ｃ））。
【００３８】
すなわちアオリ方向にのみ１軸傾斜された耳掛けハンガー１０６を有する左側ヘッドホン本体部１００では、耳掛けハンガー１０６の回動角度が標準状態（図９（Ａ））、１０度開き状態（図９（Ｂ））及び１０度閉じ状態（図９（Ｃ））の何れの場合であっても、イヤーパッド１０３の表面から耳掛けハンガー１０６のアーム部分までの距離ＤＭ４Ａ、ＤＭ４Ｂ及びＤＭ４Ｃが殆ど変わらず、またイヤーパッド１０３の表面と耳掛けハンガー１０６のアーム部分との平行状態についても必ずしも維持されていない。
【００３９】
従ってアオリ方向にのみ１軸傾斜された耳掛けハンガー１０６を有する左側ヘッドホン本体部１００では、耳掛けハンガー１０６の回動角度が変わっても、イヤーパッド１０３の表面から耳掛けハンガー１０６のアーム部分までの距離ＤＭ４Ａ、ＤＭ４Ｂ及びＤＭ４Ｃが殆ど変化しないため、標準的な厚さよりも太い耳ＥＲ２を持つユーザや、標準的な厚さよりも薄い耳ＥＲ３を持つユーザに対して、良好な装着感を提供し得ないだけでなく、耳掛けアーム１０６の回動角度が大きくなるに連れてイヤーパッド３と耳との位置関係が最適な状態から微妙にずれてしまうことになる。
【００４０】
（１−４）第１の実施の形態におけるイヤーパッドの構造
ところで第１の実施の形態における２軸傾斜された耳掛けハンガー６を有する左側ヘッドホン本体部１のイヤーパッド３では、従来にない工夫がなされており、その点について次に説明する。
【００４１】
イヤーパッド３は、図１０（Ａ）及び（Ｂ）に示すようにパッドカバー４０と、図１１に示すようにそのパッドカバー４０の内部に装填される低反撥ウレタンフォームでなる内部スポンジ４５とによって構成されている。
【００４２】
パッドカバー４０は、ユーザの耳に当接される前面側に伸縮可能で通気性及び通音性の高いニットでなる布地４１（図１０（Ａ））が配置され、スピーカユニット２を包み込む背面側に連続気泡処理が施されたドーナッツ形状のエステル系ポリウレタンフォームでなるカバースポンジ４２（図１０（Ｂ））が配置され、布地４１とカバースポンジ４２とが互いの外周側端部で熱溶着された構成を有する。
【００４３】
一方、内部スポンジ４５は、連続気泡処理が施されていないドーナッツ形状の低反撥ウレタンフォームでなり、カバースポンジ４２の内部に収納されるため、当該カバースポンジ４２よりも僅かに小さなサイズに形成されている。
【００４４】
この内部スポンジ４５に素材として採用されている低反撥ウレタンフォームは、ＮＡＳＡのスペースシャトルのシートに使われており、宇宙飛行士にとって過酷な大重圧・振動・長時間にわたる着座作業を軽減するために開発され、荷重分散と低反撥という特徴を持つものである。
【００４５】
通常の家具で使われているウレタンフォームは、密度が約１５〜３０ｋｇ／ｍ３であるのに対し、低反撥ウレタンフォームは、通常のウレタンフォームの約２〜３倍に相当する約６５ｋｇ／ｍ３もの密度がある。なお低反撥であるか否かの基準は、反撥弾性が約４０ｋｇ／ｍ３以上の密度で２０％以下のものをいう。
【００４６】
一般的に低反撥ウレタンフォームは、一般のウレタンフォームとの密度の違いにより、外部からの圧力に対してゆっくり変形し、ゆっくり戻る特徴と、荷重を分散し、底づきし難く圧迫感のない心地良い感触が得られる特徴と、いつまでもヘタリの少ない状態で使用することができるという特徴とを有している。
【００４７】
内部スポンジ４５に使用される低反撥ウレタンフォームとしては、バウンドレス性を有するクッション用ポリウレタンフォームであって、反撥弾性が非常に小さく、図１２に示すようなバウンドレス性を有するため、クッション材として使用した場合に体圧が均等に分散されて長時間の使用であっても疲れを感じさせ難いうえ、衝撃吸収性が大きく、硬さの温度依存性があるため、温度が低いと硬く、温度が高いと柔らかくなるという特徴がある。
【００４８】
イヤーパッド３は、図１３に示すように、ドーナッツ形状の穴が開けられたパッドカバー４０に対して、ほぼ同じサイズでなるドーナッツ形状の穴が空けられた内部スポンジ４５が収納された状態で構成され、パッドカバー４０のカバースポンジ４２が筐体２２のフランジ形状でなる下側保持部２２Ｂの鍔部に引っ掛けられるようにして取り付けられる。
【００４９】
ところでイヤーパッド３のパッドカバー４０に用いられているカバースポンジ４２は、上述したように連続気泡処理が施された素材であるため、スピーカユニット２の放音部２Ａから出力される音声を通すことができるが、低反撥ウレタンフォームでなる内部スポンジ４５は連続気泡処理が施されていない素材であるため、スピーカユニット２の放音部２Ａから出力される音声を通すことができない。
【００５０】
しかしながらイヤーパッド３では、ドーナッツ形状の穴が開けられたパッドカバー４０のカバースポンジ４２に対して、ほぼ同じサイズでなるドーナッツ形状の穴が空けられた内部スポンジ４５が収納された構造であるため、スピーカユニット２の放音部２Ａから出力される音声をドーナッツ形状の２つの穴及びニットの布地４１を介して通過させ、ユーザの耳に到達させ得るようになされている。
【００５１】
またイヤーパッド３は、内部スポンジ４５に低反撥ウレタンフォームが用いられると共に、その内部スポンジ４５と当接し、かつユーザの耳に押し当てられる布地４１にニットが用いられるようにしたことにより、内部スポンジ４５に対して与えられる外部からの圧力に対してゆっくり変形し、ゆっくり戻る特徴を、薄い柔らかなニットの布地４１を介してダイレクトに伝えられるようになされている。
【００５２】
これによりユーザは、イヤーパッド３が付けられた左側ヘッドホン本体部１を装着したとき、側圧が殆ど期待できない状態であるにも拘わらず、イヤーパッド３の内部スポンジ４５及び布地４１を介して、ユーザ毎に個人差を有する耳の形状差を吸収し、誰に対しても一段と快適な装着感及び装着安定性を提供し得るようになされている。
【００５３】
また左側ヘッドホン本体部１は、イヤーパッド３に用いられた低反撥ウレタンフォームの内部スポンジ４５が外部の圧力に対してゆっくり変形し、ゆっくり戻る特徴を有し、当該内部スポンジ４５が耳の個人差により異なる凹凸形状にそれぞれ追従して密着することになるため、耳とイヤーパッド３との隙間を従来に比して一段と塞ぐことができ、かくしてイヤーパッド３の前面側からの不要な音漏れを防止し得るようになされている。
【００５４】
（１−５）動作及び効果
以上の構成において、左側ヘッドホン本体部１は、図１４に示すように、耳掛けハンガー６が回転軸受部５（図示せず）を介して回動した場合、耳掛けハンガー６のアーム部分がハウジング４から離れる方向へ移動し、その耳掛けハンガー６のアーム部分が元の位置に戻ろうとする付勢力により、イヤーパッド３と耳掛けハンガー６との間でユーザの耳を挟み付けることにより装着される。
【００５５】
このとき図１５（Ａ）及び（Ｂ）に示すように、左側ヘッドホン本体部１は、その正面側から見たとき耳掛けハンガー６がハウジング４に対してアオリ方向へ約２１度の傾きを持って取り付けられ、その上面側から見たとき耳掛けハンガー６がハウジング部４に対してツイスト方向へ約２５度の傾きを持って取り付けられた３次元的な２軸傾斜構造を有しているため、耳掛けハンガー６を回転軸受部５を介して回動させたとき、耳の角度に沿って当該耳掛けハンガー６を這わせることができる。
【００５６】
また図１６（Ａ）に示すように、従来の１軸傾斜された耳掛けハンガー２０６を有する左側ヘッドホン本体部２００がユーザに装着された場合と、図１６（Ｂ）に示すように、本願発明の２軸傾斜された耳掛けハンガー６を有する左側ヘッドホン本体部１がユーザに装着された場合とにおける装着状態の違いを検証する。
【００５７】
この場合、従来の１軸傾斜された耳掛けハンガー２０６を有する左側ヘッドホン本体部２００（図１６（Ａ））では、耳掛けハンガー２０６を回動保持する回転軸受部２０５が、スピーカユニット２の放音部２Ａ側の象限に設けられているものの、耳掛けハンガー２０６を回動保持する回転軸受部２０５の向きがハウジング２０４の化粧キャップ２２５側の象限にあるため、耳掛けハンガー２０６が化粧キャップ２２５側から大きなカーブを描いてイヤーパッド２０３側の象限に回り込む構造となっている。
【００５８】
従って１軸傾斜された耳掛けハンガー２０６を有する左側ヘッドホン本体部２００（図１６（Ａ））は、耳掛けハンガー２０６のアーム部分とユーザの耳後ろ部分とのスペースが大きく拡がり、当該耳掛けハンガー２０６のアーム部分と耳後ろ部分との接触面積が少なくなってしまう。
【００５９】
これに対して本発明の２軸傾斜された耳掛けハンガー６を有する左側ヘッドホン本体部１（図１６（Ｂ））では、耳掛けハンガー６を回動保持する回転軸受部５が、スピーカユニット２を内部に有するイヤーパッド３側の象限に設けられ、かつ耳掛けハンガー６を回動保持する回転軸受部５の向きについてもイヤーパッド３側の象限にあるため、耳掛けハンガー６が回転軸受部５からイヤーパッド３側の象限に対して直接配置された構造となっている。
【００６０】
従って２軸傾斜された耳掛けハンガー６を有する左側ヘッドホン本体部１（図１６（Ｂ））は、耳掛けハンガー６のアーム部分とユーザの耳後ろ部分とのスペースが殆ど無くなり、当該耳掛けハンガー６のアーム部分と耳後ろ部分との接触面積が一段と多くなって、装着時の保持性及び装着安定性を大きく向上させると共に、装着感を格段に向上させている。
【００６１】
加えて左側ヘッドホン本体部１では、耳掛けハンガー６の回動角度が変わることに応じて、イヤーパッド３の表面から耳掛けハンガー６までの距離ＤＭ１〜ＤＭ３が変化し（図８（Ａ）〜（Ｃ））、かつイヤーパッド３の表面に対して耳掛けハンガー６のアーム部分が平行状態を維持し続けるため、ユーザ毎に耳ＥＲ１〜ＥＲ３の厚さが異なっていても、良好な装着感を提供することができる。
【００６２】
さらに左側ヘッドホン本体部１では、内部スポンジ４５に低反撥ウレタンフォームを素材として用いると共に、その内部スポンジ４５と当接し、かつユーザの耳に押し当てられる布地４１に対して薄い柔らかなニットを素材として用いることにより、内部スポンジ４５に対して与えられる耳からの側力に対して、耳の形状に合わせて内部スポンジ４５をゆっくり変形させ、ゆっくり戻るように追従させることができる。
【００６３】
これにより左側ヘッドホン本体部１は、ユーザに装着されたとき、内部スポンジ４５及びニットの布地４１を介して、イヤーパッド３をユーザの耳の形状に合わせるように追従させることができるので、十分な密着感と共に音漏れを防止しつつ、一段と快適な装着感を提供することができる。
【００６４】
なお左側ヘッドホン本体部１では、この場合であっても、通気性に優れたニットの布地４１からなるパッドカバー４０が用いられているため、十分な密着感及び音漏れを防止しながらも、使用時の蒸れを防止し、快適さをも提供することができる。
【００６５】
以上の構成によれば、従来よりも一段と装着感や装着安定性を向上させた左側ヘッドホン本体部１及び右側ヘッドホン本体部からなる優位性のある耳掛け装着方式のヘッドホンを実現することができる。
【００６６】
（２）第２の実施の形態
（２−１）第２の実施の形態におけるヘッドホン本体部の外観構成
図１との対応部分に同一符号を付した図１７に示すように、３００は全体として第２の実施の形態におけるハンガーイヤータイプのヘッドホンを構成する左耳装着用の左側ヘッドホン本体部を示し、ヘッドホン全体としては左右対称形の同一構造である右耳装着用の右側ヘッドホン本体部（図示せず）と当該左側ヘッドホン本体部３００とが接続コード３０９を介して接続された構成を有している。
【００６７】
この場合、第２の実施の形態における左側ヘッドホン本体部３００では、ハウジング３０４の内部に接続コード３０９を巻き取るためのコード巻取機構が設けられているのではなく、低音増強用のダクト３３０が形成されていることを特徴としており、それ以外の耳掛けハンガー３０６については第１の実施の形態と同様、回転軸受部３０５を介してアオリ方向及びツイスト方向へ同じ傾斜角度だけ傾けられた３次元的な２軸傾斜構造となっている。
【００６８】
因みに、この耳掛けハンガー３０６の２軸傾斜構造については、第１の実施の形態における耳掛けハンガー６の２軸傾斜構造と同じであるため、ここでは説明を省略する。
【００６９】
なおダクト３３０は、その直径及び長さに起因して共振周波数を低い周波数帯へずらし、低音レベルを増強するためのものであり、出来るだけ大きなサイズのダクトであればあるほど、安定した状態で低音を十分なレベルにまで増強し得るようになされている。
【００７０】
従って第２の実施の形態における左側ヘッドホン本体部３００においても、２軸傾斜構造を有しているため、耳掛けハンガー３０６を回動させたとき、ユーザの耳の後ろ部分に沿って当該耳掛けハンガー６を這わせることができる。
【００７１】
更に左側ヘッドホン本体部３００においても、耳掛けハンガー３０６の回動角度が変わることに応じて、イヤーパッド３０３の表面から耳掛けハンガー６のアーム部分までの距離が変化し、かつイヤーパッド３の表面に対して耳掛けハンガー６のアーム部分が平行状態を維持し続けるため、ユーザ毎に耳の厚さが異なっていても、良好な装着感を提供することができる。
【００７２】
（３）他の実施の形態
なお上述の第１及び第２の実施の形態においては、合成樹脂等の弾性体でなる耳掛けハンガー６及び３０６を用いるようにした場合について述べたが、本発明はこれに限らず、ユーザの耳に耳掛けハンガー６及び３０６が接触したとき、耳の形状にある程度追従するようになされた形態であれば、バネ性が殆ど無い材料でなる耳掛けハンガー６及び３０６を用いるようにしても良い。
【００７３】
また上述の第１及び第２の実施の形態においては、耳掛けハンガー６及び３０６を回動軸に対して、アオリ方向の傾斜角度θ１を約２１度、ツイスト方向の傾斜角度θ２を約２５度に設定するようにした場合について述べたが、本発明はこれに限らず、耳掛けハンガー６及び３０６が２軸傾斜された構造であれば、アオリ方向及びツイスト方向ともに約１０度〜４５度の範囲内で任意の傾斜角度θ１及びθ２に設定するようにしても良い。
【００７４】
さらに上述の第１及び第２の実施の形態においては、回動軸受部５及び３０５を介して耳掛けハンガー６及び３０６がアオリ方向への傾斜角度θ１を約２１度、ツイスト方向への傾斜角度θ２を約２５度に設定した固定式の場合について述べたが、本発明はこれに限らず、回転軸受部５及び３０５の向きを動かせる構造とし、アオリ方向への傾斜角度θ１及びツイスト方向への傾斜角度θ２をユーザの好みに合わせて微調整可能にしてもよい。
【００７５】
さらに上述の第１及び第２の実施の形態においては、パッドカバー４０とスポンジ４５とが熱溶着された構造のイヤーパッド３を用いるようにした場合について述べたが、本発明はこれに限らず、パッドカバー４０とスポンジ４５とが最初から一体化された構造のイヤーパッド３を用いるようにしたり、パッドカバー４０の中にスポンジ４５を収納させるだけで熱溶着しないのであれば、エステル系ポリウレタンフォームでなるカバースポンジを用いるようにしても良い。
【００７６】
さらに上述の第１及び第２の実施の形態においては、パッドカバー４０の背面側にエステル系ポリウレタンフォームでなるカバースポンジ４２を用いるようにした場合について述べたが、本発明はこれに限らず、パッドカバー４０の前面側と同様にニット製の布地４１を用いたり、内部スポンジ４５と同じ素材でなる低反撥ウレタンフォームでなるカバースポンジ４２を用いるようにしても良い。
【００７７】
さらに上述の第１及び第２の実施の形態においては、イヤーパッド３のパッドカバー４０を耳掛け装着方式であるハンガーイヤータイプのヘッドホン１及び３００に用いるようにした場合について述べたが、本発明はこれに限らず、イヤーパッドを必要とする構造であれば、密閉型のヘッドホンや、その他種々のタイプのヘッドホンにイヤーパッド３のパッドカバー４０を用いるようにしても良い。
【００７８】
さらに上述の第１及び第２の実施の形態においては、イヤーパッド３のパッドカバー４０の素材として布地４１を用いるようにした場合について述べたが、本発明はこれに限らず、布状でなるポリエステル樹脂やポリウレタン樹脂等のその他種々の樹脂系素材や、紙材を布地４１の代わりに用いるようにしても良い。
【００７９】
さらに上述の第１及び第２の実施の形態においては、ヘッドホン部としてのヘッドホン部２９、耳掛けハンガーとしての耳掛けハンガー６及び３０６、回転軸受部としての回転軸受部５及び３０５によって耳掛け装着方式のヘッドホンとしての左側ヘッドホン本体部１及び３００を構成するようにした場合について述べたが、本発明はこれに限らず、その他種々の形状及び構造でなるヘッドホン部、耳掛けハンガー及び回転軸受部によって耳掛け装着方式のヘッドホンを構成するようにしても良い。
【産業上の利用可能性】
【００８０】
本発明の耳掛け装着方式のヘッドホンは、携帯型音楽プレーヤ以外の例えば音楽再生機能を持った携帯電話機や小型モバイルコンピュータ等のその他種々の電子機器に適用することができる。
【図面の簡単な説明】
【００８１】
【図１】第１の実施の形態におけるハンガーイヤータイプのヘッドホン本体部の構成を示す略線図である。
【図２】アオリ方向の傾斜角度を示す略線図である。
【図３】ツイスト方向の傾斜角度を示す略線図である。
【図４】ツイスト方向の傾斜角度ヒストグラムを示す略線図である。
【図５】左側ヘッドホン本体部の内部構造を示す略線的斜視図である。
【図６】装着の仕方の説明に供する略線的斜視図である。
【図７】左側ヘッドホン本体部の装着状態を示す略線図である。
【図８】本願発明の２軸傾斜の左側ヘッドホン本体部が耳のサイズの異なるユーザに装着された場合の装着状態の変化を示す略線図である。
【図９】１軸傾斜の左側ヘッドホン本体部が耳のサイズの異なるユーザに装着された場合の装着状態の変化を示す略線図である。
【図１０】イヤーパッドのパッドカバーの構成を示す略線的斜視図である。
【図１１】イヤーパッドの内部スポンジ（低反撥ウレタンフォーム）の構成を示す略線的斜視図である。
【図１２】バウンドレス性の説明に供する略線図である。
【図１３】イヤーパッドの断面構造を示す略線図である。
【図１４】左側ヘッドホン本体部における耳掛けハンガーの回動状態を示す略線的斜視図である。
【図１５】アオリ方向及びツイスト方向へ２軸傾斜された耳掛けハンガーを示す略線図である。
【図１６】耳掛けハンガーと耳の後ろ部分との距離の説明に供する略線図である。
【図１７】第２の実施の形態におけるハンガーイヤータイプのヘッドホン本体部の構成を示す略線的斜視図である。
【符号の説明】
【００８２】
１、２００、３００……左側ヘッドホン本体部、２……スピーカユニット、３……イヤーパッド、４、３０４……ハウジング、５、３０５……回転軸受部、６、３０６……耳掛けハンガー、７……回転軸受部カバー、８……巻取ボタン、９、３０９……接続コード、２２……筐体、２３……リール、２４……リールカバー、２５……化粧キャップ、２６……回転軸、２７……軸カバー、４０……パッドカバー、４１……布地、４２……カバースポンジ、４５……内部スポンジ、３３０……ダクト。
【図１】
2008124733.tif 000003
【図２】
2008124733.tif 000004
【図３】
2008124733.tif 000005
【図４】
2008124733.tif 000006
【図５】
2008124733.tif 000007
【図６】
2008124733.tif 000008
【図７】
2008124733.tif 000009
【図８】
2008124733.tif 000010
【図９】
2008124733.tif 000011
【図１０】
2008124733.tif 000012
【図１１】
2008124733.tif 000013
【図１２】
2008124733.tif 000014
【図１３】
2008124733.tif 000015
【図１４】
2008124733.tif 000016
【図１５】
2008124733.tif 000017
【図１６】
2008124733.tif 000018
【図１７】
2008124733.tif 000019